(57)【特許請求の範囲】
【請求項１】
発熱ユニットの発熱を屋外用筐体を介して放熱させる発熱ユニットの屋外用筐体への取り付け構造において、
上記屋外用筐体の背面をなす背面側ユニット取り付け部の内面に、背面全体が上記背面側ユニット取り付け部の内面に接する板状の背面側ユニット取り付け板を設け、
上記屋外用筐体の内部へ挿入された上記発熱ユニットの背面に設けられた発熱ユニット背面固定フランジが上記背面側ユニット取り付け板の前面に固定ネジで固定されることにより上記発熱ユニットの背面全体と上記背面側ユニット取り付け板の上記前面とが接し、
上記発熱ユニットの前面に設けられた発熱ユニット前面フランジと上記屋外用筐体の前面に設けられた前面側ユニット取り付け部の外面との間に防振シートを配置したことを特徴とする発熱ユニットの屋外用筐体への取り付け構造。
【請求項２】
上記固定ネジとして、上記発熱ユニット背面固定フランジと上記発熱ユニット前面フランジ間以上の長さを有する長尺固定ネジを使用し、上記発熱ユニット前面フランジを貫通した上記長尺固定ネジにより上記発熱ユニット背面固定フランジが上記背面側ユニット取り付け板の上記前面に固定されることを特徴とする請求項１記載の発熱ユニットの屋外用筐体への取り付け構造。
【請求項３】
上記防振シートは、上記発熱ユニット前面フランジと上記前面側ユニット取り付け部との隙間より厚いことを特徴とする請求項１または請求項２記載の発熱ユニットの屋外用筐体への取り付け構造。
【請求項４】
上記背面側ユニット取り付け部と上記背面側ユニット取り付け板との間に熱伝導シートを配置することを特徴とする請求項１から請求項３のうちのいずれか１項記載の発熱ユニットの屋外用筐体への取り付け構造。
【発明の詳細な説明】
【技術分野】
【０００１】
この発明は発熱ユニットの発熱を屋外用筐体を介して放熱させる発熱ユニットの屋外用筐体への取り付け構造および筺体に関するものである。
【背景技術】
【０００２】
従来の発熱ユニットの屋外用筐体への取り付け構造の例として、例えば特許文献１に記載された屋外設置用筐体がある。この屋外設置用筐体では、筐体内部に収納される電源等の機器が発する熱を放出する放熱板を、機器の筐体本体への取付板と兼用し、筐体本体の、取付板が取り付けられる側面部の外面に放熱フィンを設けている。
【０００３】
【特許文献１】特開平６−２０４６６７号公報（段落００１２）
【発明の開示】
【発明が解決しようとする課題】
【０００４】
従来の発熱ユニットの屋外用筐体への取り付け構造は以上のように構成され、発熱ユニットを壁面に固定し放熱しているため、発熱ユニットの固定面は筐体と接する壁面側のみとなることから、例えば線路脇等の振動の多い環境下では、発熱ユニットが振動の影響を強く受けやすいという課題があった。
【０００５】
この発明は上記のような課題を解決するためになされたもので、発熱ユニットの発熱を放熱することができると共に、振動の多い環境下でも耐振動性を向上することができる発熱ユニットの屋外用筐体への取り付け構造および筺体を得ることを目的とする。
【課題を解決するための手段】
【０００６】
この発明に係る発熱ユニットの屋外用筐体への取り付け構造は、屋外用筐体の背面をなす背面側ユニット取り付け部の内面に、背面全体が背面側ユニット取り付け部の内面に接する板状の背面側ユニット取り付け板を設け、屋外用筐体の内部へ挿入された発熱ユニットの背面に設けられた発熱ユニット背面固定フランジが背面側ユニット取り付け板の前面に固定ネジで固定されることにより発熱ユニットの背面全体と背面側ユニット取り付け板の前面とが接し、発熱ユニットの前面に設けられた発熱ユニット前面フランジと屋外用筐体の前面に設けられた前面側ユニット取り付け部の外面との間に防振シートを配置したものである。
【発明の効果】
【０００７】
この発明によれば、発熱ユニットの発熱は該発熱ユニットの発熱ユニット背面固定フランジが接する背面側ユニット取り付け板、この背面側ユニット取り付け板が接する屋外用筺体の背面側ユニット取り付け部を介して放熱することができると共に、振動の多い環境下でも、防振シートにより発熱ユニットの振動を吸収することができ耐振動性を向上することができるという効果が得られる。
また、発熱ユニットの発熱量が大きくなった場合には、背面側ユニット取り付け部全体を交換する必要はなく、背面側ユニット取り付け板のサイズを変更したり、背面側ユニット取り付け板の材料として、熱伝導率の高い材料を使用することにより、発熱ユニットの発熱量が変化した場合の対応が可能となるという効果が得られる。
【発明を実施するための最良の形態】
【０００８】
実施の形態１．
図１はこの発明の実施の形態１による発熱ユニットの屋外用筐体への取り付け構造を有する屋外用通信装置の構成を示す図である。この屋外用通信装置は、屋外用筐体１、発熱ユニット２、固定ネジ３及び防振シート４を備えている。屋外用筐体１には、背面側ユニット取り付け部１ａ、前面側ユニット取り付け部１ｂ、ガイドレール１ｃ及びガイド穴１ｄが設けられ、発熱ユニット２には、発熱ユニット背面固定フランジ２ａ、発熱ユニット前面固定フランジ２ｂ、内部発熱部品２ｃ及びガイドピン２ｄが設けられている。
【０００９】
図２は一般的な屋外用通信装置の外観の一例を示す図であり、図３は一般的な屋外用通信装置の内部実装の一例を示す図である。一般的な屋外用通信装置は、図２及び図３に示すように、屋外用筐体１の内部に発熱ユニット２が設置されている。
【００１０】
図１において、発熱ユニット２は、屋外用筐体１に取り付けられる際に、屋外用筐体１のガイドレール１ｃに導かれて屋外用筐体１の内部へ挿入され、発熱ユニット２のガイドピン２ｄが屋外用筐体１のガイド穴１ｄに入ることで位置が決定される。また、固定ネジ３により発熱ユニット２の発熱ユニット背面固定フランジ２ａを屋外用筐体１の背面側ユニット取り付け部１ａに固定し、発熱ユニット２の発熱ユニット前面固定フランジ２ｂと屋外用筐体１の前面側ユニット取り付け部１ｂとの間に防振シート４を配置している。この防振シート４は発熱ユニット２の発熱ユニット前面固定フランジ２ｂと屋外用筐体１の前面側ユニット取り付け部１ｂとの隙間の寸法より厚いものが使用される。
【００１１】
発熱ユニット２の固定を発熱ユニット背面固定フランジ２ａで行うと、発熱ユニット前面固定フランジ２ｂ側の支えがないために、例えば線路脇等の振動の多い環境下では、発熱ユニット２は振動の影響を強く受けて、発熱ユニット前面固定フランジ２ｂ側が大きく振動するようになるが、この実施の形態１では、固定ネジ３により発熱ユニット２の発熱ユニット背面固定フランジ２ａを屋外用筐体１の背面側ユニット取り付け部１ａに固定することにより、発熱ユニット２の発熱を背面側ユニット取り付け部１ａを介して直接放熱させると共に、発熱ユニット２の発熱ユニット前面固定フランジ２ｂと屋外用筐体１の前面側ユニット取り付け部１ｂの間に配置された防振シート４により発熱ユニット２の振動を吸収させている。
【００１２】
また、防振シート４の固さを調整することにより、発熱ユニット２の固有振動数に合わせた振動抑制を行うことも可能である。
【００１３】
以上のように、この実施の形態１によれば、屋外用筐体１の背面側ユニット取り付け部１ａの内面に背面側ユニット取り付け板を設け、屋外用筐体１の内部へ挿入された発熱ユニット２の発熱ユニット背面固定フランジ２ａを固定ネジ３により上記背面側ユニット取り付け部１ａに固定し、発熱ユニット２の発熱ユニット前面固定フランジ２ｂと屋外用筐体１の前面側ユニット取り付け部１ｂとの間に防振シート４を配置することにより、発熱ユニット２の発熱を背面側ユニット取り付け部１ａを介して直接放熱することができると共に、振動の多い環境下でも、防振シート４により発熱ユニット２の振動を吸収することができ耐振動性を向上することができるという効果が得られる。
【００１４】
実施の形態２．
図４はこの発明の実施の形態２による発熱ユニットの屋外用筐体への取り付け構造を有する屋外用通信装置の構成を示す図である。この屋外用通信装置は、屋外用筐体１、発熱ユニット２、固定ネジ３、防振シート４及び熱伝導シート５を備え、上記実施の形態１の図１に示す構成に熱伝導シート５が追加されたものであり、屋外用筐体１及び発熱ユニット２の構成も図１に示す構成と同じである。
【００１５】
この実施の形態２では、図４に示すように、発熱ユニット２と屋外用筐体１の背面側ユニット取り付け部１ａとの間に熱伝導シート５を配置し、固定ネジ３により、発熱ユニット２の発熱ユニット背面固定フランジ２ａを、熱伝導シート５を介して屋外用筐体１の背面側ユニット取り付け部１ａに密着させることにより、発熱ユニット２の発熱を熱伝導シート５及び屋外用筐体１の背面側ユニット取り付け部１ａを介して効率的に放熱させている。
【００１６】
以上のように、この実施の形態２によれば、上記実施の形態１と同様の効果が得られると共に、発熱ユニット２と屋外用筐体１の背面側ユニット取り付け部１ａとの間に熱伝導シート５を配置することにより、発熱ユニット２の発熱を熱伝導シート５及び屋外用筐体１の背面側ユニット取り付け部１ａを介して効率的に放熱させることができると共に、熱伝導シート５により発熱ユニット２と屋外用筐体１の背面側ユニット取り付け部１ａとの密着性が確保できるため、発熱ユニット２と屋外用筐体１の背面側ユニット取り付け部１ａの接触面の加工精度を高める必要がないという効果が得られる。
【００１７】
実施の形態３．
図５はこの発明の実施の形態３による発熱ユニットの屋外用筐体への取り付け構造を有する屋外用通信装置の構成を示す図である。この屋外用通信装置は、屋外用筐体１、発熱ユニット２、長尺固定ネジ３ａ、防振シート４及び熱伝導シート５を備えている。この実施の形態３では、上記実施の形態２の図４で使用している固定ネジ３の代わりに長尺固定ネジ３ａを使用し、その他の構成は上記実施の形態２の図４と同様である。
【００１８】
長尺固定ネジ３ａは発熱ユニット２の発熱ユニット背面固定フランジ２ａと発熱ユニット前面固定フランジ２ｂ間以上の長さを有するものとする。そして、この長尺固定ネジ３ａにより、発熱ユニット２の発熱ユニット背面固定フランジ２ａを屋外用筐体１の背面側ユニット取り付け部１ａに固定すると共に、防振シート４を介して発熱ユニット２の発熱ユニット前面固定フランジ２ｂと屋外用筐体１の前面側ユニット取り付け部１ｂを密着させている。
【００１９】
この実施の形態３では、上記実施の形態２で使用している固定ネジ３の代わりに長尺固定ネジ３ａを使用しているが、上記実施の形態１で使用している固定ネジ３の代わりに長尺固定ネジ３ａを使用しても良い。
【００２０】
以上のように、この実施の形態３によれば、上記実施の形態２と同様の効果が得られると共に、長尺固定ネジ３ａにより、防振シート４を介しての発熱ユニット２の発熱ユニット前面固定フランジ２ｂと屋外用筐体１の前面側ユニット取り付け部１ｂとの密着力が強くなり、効率的に発熱ユニット２の振動を吸収することができるという効果が得られる。
【００２１】
実施の形態４．
図６はこの発明の実施の形態４による発熱ユニットの屋外用筐体への取り付け構造を有する屋外用通信装置の構成を示す図である。この屋外用通信装置は、上記実施の形態１と同様に、屋外用筐体１、発熱ユニット２、固定ネジ３及び防振シート４を備えているが、上記実施の形態１の図１に示す屋外用筐体１の背面側ユニット取り付け部１ａを、図６に示すように、前面側ユニット取り付け部１ｂと同様の厚さを有する背面側ユニット取り付け部１ｅと背面側ユニット取り付け板１ｆに分割したもので、その他の構成は上記実施の形態１の図１に示す構成と同様である。
【００２２】
このように、屋外用筐体１の背面側ユニット取り付け部１ａを、背面側ユニット取り付け部１ｅと背面側ユニット取り付け板１ｆに分割して別部品とすることにより、例えば、発熱ユニット２の発熱量が大きくなった場合には、背面側ユニット取り付け部１ａ全体を交換する必要はなく、背面側ユニット取り付け板１ｆのサイズを変更したり、背面側ユニット取り付け板１ｆの材料として、熱伝導率の高い材料を使用することにより、発熱ユニット２の発熱量が変化した場合の対応が可能となる。
【００２３】
この実施の形態４では、上記実施の形態１の屋外用筐体１の背面側ユニット取り付け部１ａを、背面側ユニット取り付け部１ｅと背面側ユニット取り付け板１ｆに分割しているが、上記実施の形態２又は上記実施の形態３の屋外用筐体１の背面側ユニット取り付け部１ａを、背面側ユニット取り付け部１ｅと背面側ユニット取り付け板１ｆに分割しても良い。
【００２４】
また、この実施の形態４では、屋外用筐体１の背面側ユニット取り付け部１ｅと背面側ユニット取り付け板１ｆの間に、上記実施の形態２と同様の熱伝導シート５を配置しても良いし、上記実施の形態２又は上記実施の形態３の屋外用筐体１の背面側ユニット取り付け部１ａを、背面側ユニット取り付け部１ｅと背面側ユニット取り付け板１ｆに分割し、背面側ユニット取り付け部１ｅと背面側ユニット取り付け板１ｆの間に、上記実施の形態２と同様の熱伝導シート５を配置しても良い。
【００２５】
以上のように、この実施の形態４によれば、上記実施の形態１と同様の効果が得られると共に、屋外用筐体１の背面側ユニット取り付け部１ａを、背面側ユニット取り付け部１ｅと背面側ユニット取り付け板１ｆに分割することにより、発熱ユニット２の発熱量が変化した場合の対応を容易に行うことができるという効果が得られる。
【００２６】
さらに、この実施の形態４によれば、屋外用筐体１の背面側ユニット取り付け部１ｅと背面側ユニット取り付け板１ｆの間に熱伝導シート５を配置することにより、上記実施の形態２と同様の効果が得られる。
【図面の簡単な説明】
【００２７】
【図１】この発明の実施の形態１による発熱ユニットの屋外用筐体への取り付け構造を有する屋外用通信装置の構成を示す図である。
【図２】一般的な屋外用通信装置の外観の一例を示す図である。
【図３】一般的な屋外用通信装置の内部実装の一例を示す図である。
【図４】この発明の実施の形態２による発熱ユニットの屋外用筐体への取り付け構造を有する屋外用通信装置の構成を示す図である。
【図５】この発明の実施の形態３による発熱ユニットの屋外用筐体への取り付け構造を有する屋外用通信装置の構成を示す図である。
【図６】この発明の実施の形態４による発熱ユニットの屋外用筐体への取り付け構造を有する屋外用通信装置の構成を示す図である。
【符号の説明】
【００２８】
１  屋外用筐体、１ａ  背面側ユニット取り付け部、１ｂ  前面側ユニット取り付け部、１ｃ  ガイドレール、１ｄ  ガイド穴、１ｅ  背面側ユニット取り付け部、１ｆ  背面側ユニット取り付け板、２  発熱ユニット、２ａ  発熱ユニット背面固定フランジ、２ｂ  発熱ユニット前面固定フランジ、２ｃ  内部発熱部品、２ｄ  ガイドピン、３  固定ネジ、３ａ  長尺固定ネジ、４  防振シート、５  熱伝導シート。
【図１】
0004850620.tif 000002
【図２】
0004850620.tif 000003
【図３】
0004850620.tif 000004
【図４】
0004850620.tif 000005
【図５】
0004850620.tif 000006
【図６】
0004850620.tif 000007